(57)【特許請求の範囲】
【請求項１】
車両に搭載され、エンジン後部から後方に向けて排気が流れる排気通路を構成する後方排気部（２０、２１）を有するエンジン（２）と、
車外と前記エンジンが設置されるエンジンルーム（４）とを連絡する通路であって、前記車外から取り込まれる外気が前記後方排気部に向けて流入するように、前記エンジンの後部寄りに設けられた外気導入通路（３１）と、
前記外気導入通路において空気の流通を許容する開状態と阻止する閉状態とに制御可能な通路開閉装置（３）と、
車室内を空調するための車両用空調装置（１）において空調された空調空気を、前記エンジンよりも後方から前記後方排気部に向けて流入させるように設けられた空調風導入通路（１１）と、
前記車両用空調装置の運転と前記通路開閉装置の作動とを制御する制御装置（１００）と、
を備え、
前記制御装置は、停車中に、前記通路開閉装置を前記開状態に制御するとともに、前記車両用空調装置において冷却された冷気を前記空調風導入通路に流すように前記車両用空調装置の運転を制御することを特徴とする冷却装置。
【請求項２】
車両に搭載され、エンジン後部から後方に向けて排気が流れる排気通路を構成する後方排気部（２０、２１）を有するエンジン（２）と、
車外と前記エンジンが設置されるエンジンルーム（４）とを連絡する通路であって、前記車外から取り込まれる外気が前記後方排気部に向けて流入するように、前記エンジンの後部寄りに設けられた外気導入通路（３１）と、
前記外気導入通路において空気の流通を許容する開状態と阻止する閉状態とに制御可能な通路開閉装置（３）と、
車室内の空気を、前記エンジンよりも後方から前記後方排気部に向けて流入させるように設けられた室内空気導入通路（１１、６０）と、
前記室内空気導入通路に車室内の空気を流す送風装置（６１）と、
前記通路開閉装置の作動と前記送風装置の運転とを制御する制御装置（１００）と、
を備え、
前記制御装置は、停車中に、前記通路開閉装置を前記開状態に制御するとともに、車室内の空気を前記室内空気導入通路に流すように前記送風装置の運転を制御することを特徴とする冷却装置。
【請求項３】
前記制御装置は、停車中に、外気の温度が車室内の空気の温度よりも低い場合には、前記通路開閉装置を前記開状態に制御し、前記送風装置を停止するように制御することを特徴とする請求項２に記載の冷却装置。
【請求項４】
前記外気導入通路は、前記エンジンよりも高い位置で前記外気を前記車外から取り入れる通路であることを特徴とする請求項１から請求項３のいずれか一項に記載の冷却装置。
【請求項５】
前記外気導入通路は、前記エンジンよりも後方の位置で前記外気を前記車外から取り入れる通路であることを特徴とする請求項４に記載の冷却装置。
【請求項６】
前記外気導入通路は、前記車両におけるエンジンフード（４０）とフロントウインドシールド（５１）との間に設けられた開口部（３０）から前記外気を取り入れる通路であることを特徴とする請求項５に記載の冷却装置。
【請求項７】
前記外気導入通路は、前記後方排気部の真上から前記外気を取り入れる通路であることを特徴とする請求項５または請求項６に記載の冷却装置。
【請求項８】
前記車両の走行中に、前記通路開閉装置は前記開状態に制御され、前記車外から取り入れられた前記外気は、前記外気導入通路を下方に流れることを特徴とする請求項５から請求項７のいずれか一項に記載の冷却装置。
【発明の詳細な説明】
【技術分野】
【０００１】
本発明は、エンジン後部の後方排気部を冷却する冷却装置に関する。
【背景技術】
【０００２】
特許文献１のエンジンルーム構造によれば、車両前部のラジエータファンによって後方に送風される外気が流れるダクトをエンジンの前方から後方にかけて配設することが開示されている。このダクト内部の通路には、エンジンの前部から延びる排気マニホールド及びこのマニホールドから後方に延びる排気パイプが設けられている。ラジエータファンによってエンジンルームに取り込まれた外気は、ダクト内を後方へ流れることで、排気マニホールド及び排気パイプに接触してこれらを冷却することができる。
【先行技術文献】
【特許文献】
【０００３】
【特許文献１】特開平０５−１６９９８６号公報
【発明の概要】
【発明が解決しようとする課題】
【０００４】
特許文献１の技術では、エンジンの前部から延びる排気マニホールドについて、ラジエータファンによって後方に送風される空気を用いて冷却することで、エンジン前面側の排気マニホールドで熱交換された熱気がエンジン背面に回り込むことを抑制する。このように特許文献１に開示の技術では、エンジン後部から排気が行われる後方排気部を構成するエンジン後部の排気マニホールド、当該マニホールドから後方へ延びる排気パイプ等について、十分な冷却を行うことができない。特に、後方排気型のエンジンに関して後方排気部の冷却を効率的に行うことは、重要な技術課題であり、さらなる改良が求められている。
【０００５】
そこで、本発明は、前述の問題点に鑑みてなされたものであり、エンジンの後部から排気が流れる後方排気部を効率的に排気可能な冷却装置を提供することを目的とする。
【課題を解決するための手段】
【０００６】
本発明は上記目的を達成するために以下の技術的手段を採用する。なお、特許請求の範囲及びこの項に記載した括弧内の符号は、ひとつの態様として後述する実施形態に記載の具体的手段との対応関係を示す一例であって、本発明の技術的範囲を限定するものではない。
【０００７】
開示された冷却装置に係る発明のひとつは、車両に搭載され、エンジン後部から後方に向けて排気が流れる排気通路を構成する後方排気部（２０、２１）を有するエンジン（２）と、車外とエンジンが設置されるエンジンルーム（４）とを連絡する通路であって、車外から取り込まれる外気が後方排気部に向けて流入するように、エンジンの後部寄りに設けられた外気導入通路（３１）と、外気導入通路において空気の流通を許容する開状態と阻止する閉状態とに制御可能な通路開閉装置（３）と、車室内を空調するための車両用空調装置（１）において空調された空調空気を、エンジンよりも後方から後方排気部に向けて流入させるように設けられた空調風導入通路（１１）と、車両用空調装置の運転と通路開閉装置の作動とを制御する制御装置（１００）と、を備え、
制御装置は、停車中に、通路開閉装置を開状態に制御するとともに、車両用空調装置において冷却された冷気を空調風導入通路に流すように車両用空調装置の運転を制御することを特徴とする。
【０００８】
この発明によれば、エンジンの後部寄りに設定された外気導入通路に外気を導入することにより、外気流入時の通風抵抗を少なくしてスムーズにエンジンルームに取り入れることができる。さらに外気導入通路に流入した外気は、後方排気部に向けて流れるため、冷却効果の高い新鮮な外気をエンジンルームの他の熱源から吸熱する前に後方排気部に接触させることができる。これにより、外気によって後方排気部を冷却する効果を格段に高めることが可能である。例えば、車両走行時には、通路開閉装置を開状態にすることにより、外気が車外から外気導入通路を通って後方排気部に向けて流れ得るので、後方排気型のエンジンの排気マニホールドや排気パイプを冷却する能力を外気によって向上させることができる。
【０００９】
以上のように、この発明によれば、エンジン後部から排気が流れる後方排気部を効率的に排気できる冷却装置を提供できる。
【図面の簡単な説明】
【００１０】
【図１】本発明に係る冷却装置の一例である第１実施形態であり、走行時に外気導入を行う状態を示した図面である。
【図２】第１実施形態において、走行時に外気導入を行わない状態を示した図面である。
【図３】第１実施形態において、停車時に外気導入を行う状態を示した図面である。
【図４】第１実施形態における冷却装置の制御に関するブロック図である。
【図５】第１実施形態の冷却装置が行う制御に関するフローチャートである。
【図６】第２実施形態において、停車時に外気導入を行う状態を示した図面である。
【図７】第２実施形態における冷却装置の制御に関するブロック図である。
【図８】第２実施形態の冷却装置が行う制御に関するフローチャートである。
【発明を実施するための形態】
【００１１】
以下に、図面を参照しながら本発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。各実施形態で具体的に組み合わせが可能であることを明示している部分同士の組み合わせばかりではなく、特に組み合わせに支障が生じなければ、明示してなくとも実施形態同士を部分的に組み合わせることも可能である。
【００１２】
（第１実施形態）
開示発明に係る第１実施形態の冷却装置は、車両走行のための動力を提供するエンジン２において、エンジン後部から後方に向けて排気が流れる部分である後方排気部を効率的に冷却できる装置である。冷却対象とする後方排気部は、エンジン２の後部に接続される排気通路である。後方排気部には、例えば、エンジン後部から後方へ排気が流出する多岐管の排気マニホールド２０や、排気マニホールド２０に接続されて後方に延びる排気パイプ２１が含まれる。
【００１３】
第１実施形態に係る冷却装置について、図１〜図５を参照して説明する。車両のエンジンルーム４は、前部のフロントグリル４１、側部のフードリッジパネル、上部のエンジンフード４０（またはボンネット）、下部のアンダーカバー４５及び後部のファイアウォール４７等で囲まれたエンジン２の収容空間である。アンダーカバー４５は、フロントグリル４１の下方部から車両後方へファイアウォール４７の近傍まで延びている。ファイアウォール４７は、エンジンルーム４と運転席の間の仕切りパネルを構成する。
【００１４】
例えば、ファイアウォール４７には、フロアパネル４６が一体に設けられる。フロアパネル４６は、車室内５の下方で車両の底部を構成する。アンダーカバー４５、ファイアウォール４７及びフロアパネル４６は、車両の車幅全体にわたって設けられている。アンダーカバー４５とフロアパネル４６との隙間は、前述の後方排気部を冷却するために車外から取り込まれた外気がエンジンルーム４から排出される外気排出用の開口を構成する。
【００１５】
エンジンルーム４の前部であるエンジン２の前方には、車両のフレーム等に固定されたクーリングモジュールが設けられている。クーリングモジュールは、空調装置１に用いられるコンデンサ４２の冷却とエンジン２の冷却水を冷却するラジエータ４３の冷却とを、共通の電動ファン４４による強制送風により行う。クーリングモジュールには、コンデンサ４２がラジエータ４３の前面に配置される直列配列が採用されている。コンデンサ４２はラジエータ４３のボディにゴムマウントを介して固定されている。また、電動ファン４４は、ファンシュラウドを有し、ラジエータ４３の背後でラジエータ４３に一体に固定されている。
【００１６】
エンジン２は、その後部から排気を行う排気マニホールド２０を少なくとも有する。排気マニホールド２０には、エンジンルーム４の後部でファイアウォール４７に近接して下方に延びる排気パイプ２１が接続されている。排気パイプ２１は、フロアパネル４６に沿うように車両後部まで延びており、車両後部のバンパと一体となった開口端部から排気が車外に排出される。排気マニホールド２０と排気パイプ２１は、エンジン２から流出した排気が流れるエンジン２の排気管とも呼ばれる。冷却装置が冷却対象とする後方排気部には、排気マニホールド２０及び排気パイプ２１の少なくとも一方が含まれる。
【００１７】
電動ファン４４によって、フロントグリル４１から吸い込まれた外気は、コンデンサ４２の熱交換コア部、ラジエータ４３の熱交換コア部を順に通過して、エンジン２の前面側に流れる。この外気は、エンジン２の前部に接触してこれを冷却した後、エンジン２の後部側にも接触して、アンダーカバー４５とフロアパネル４６との隙間による前述の開口からエンジンルーム４の外に排出される。
【００１８】
このように、電動ファン４４によってエンジンルーム４に導入された外気は、エンジン２の後部側に設けられる後方排気部にも接触しうるため、後方排気部を冷却することができる。しかしながら、この外気の流れは、コンデンサ４２、ラジエータ４３を冷却することに加え、エンジン２の前部の熱を吸熱するため、後方排気部を冷却する効果は小さい。さらにこの外気の流れは、コンデンサ４２、ラジエータ４３及びエンジン２の前部等に接触した後に、最後に後方排気部に到達するため、後方排気部に至るまでの通風抵抗が大きく、この点からも後方排気部を十分に冷却することはできない。
【００１９】
次に、後方排気部を効率的に冷却できる第１実施形態の冷却装置について説明する。冷却装置は、車外とエンジンが設置されるエンジンルーム４とを連絡する外気導入通路３１を備える。外気導入通路３１は、図１のとおり、車外から取り込まれる外気が後方排気部に向けて流入するように、エンジン２の後部寄りに設けられる。外気導入通路３１は、外気導入口３０から取り込まれた車外の空気が後方排気部に接触して、アンダーカバー４５とフロアパネル４６との隙間による外気排出用の開口から車外に排出されるまでに通る通路である。
【００２０】
外気導入通路３１は、車両の前後方向について、エンジン２の前面よりも後面（または背面）に近い位置に設けられる。したがって、外気導入通路３１は、車両の前後方向について、エンジン２の中央部から後面の範囲、及びエンジン２の後面よりも後方に位置する範囲の少なくとも一方の範囲に含まれる位置を通るように設けられる。例えば、外気導入通路３１は、エンジン２の後方排気部の周辺を含む通路を構成する。以上のように、外気導入通路３１が構成されることにより、車外から取り込まれる外気は、後方排気部に向けて流入する。
【００２１】
外気導入通路３１において車外から外気が取り込まれる外気導入口３０は、エンジン２よりも高い位置で外気を車外から取り入れることが好ましい。また外気導入口３０は、エンジン２よりも後方の位置で外気を車外から取り入れることが好ましい。さらに外気導入通路３１は、後方排気部の真上から外気を取り入れる通路であることが好ましい。外気導入口３０から流入した外気は、エンジンルーム４に設けられるガイド壁３１ａやファイアウォール４７によって、エンジンルーム４での外気の流れが案内される。このように案内された流れにしたがって、外気導入通路３１が形成されることになる。
【００２２】
外気導入通路３１の外気導入口３０は、カウルに設けられている。カウルは、エンジンフード４０（またはボンネット）とフロントウインドシールド５１の間に設けられる外板部である。さらに外板部には、空調運転の外気モード時に空調ケース内に外気を取り込むための車両用空調装置の吸気口が設けられている。
【００２３】
冷却装置は、外気導入通路３１において空気の流通を許容する開状態と阻止する閉状態とに制御可能な通路開閉装置の一例である第１ドア３を備える。第１ドア３は、外気導入通路３１に設けられて外気導入通路３１を開閉する単数または複数のドア本体を備えて構成される装置である。図１〜図３には、一例として３個のドア本体を有する第１ドア３が開示されている。
【００２４】
冷却装置は、第１ドア３と、車室内に対して温度調節した空調空気を送風する車両用の空調装置１とを関連させて制御することができる。空調装置１には、空調装置１の空調ケース内部とエンジンルーム４とを連絡するダクト１０が設けられている。ダクト１０は、空調風導入通路１１を構成する。ダクト１０はファイアウォール４７を貫通するように設けられ、その開口端部が排気マニホールド２０や排気パイプ２１に向かって開口している。したがって、空調風導入通路１１は、エンジン２よりも後方の位置から後方排気部に向けて空調空気をエンジンルーム４に流入させる通路を構成する。
【００２５】
ダクト１０の内部には、空調風導入通路１１を開状態と閉状態とに制御可能な通路開閉装置の一例である第２ドア１２が設けられている。第２ドア１２は、開状態に制御された場合は空調装置１で空調された空調空気がエンジンルーム４に流入することを許容する。第２ドア１２は、閉状態に制御された場合は空調風導入通路１１における空気の流通を阻止し、エンジンルーム４への空調空気の流入を禁止する。空調装置１は、エンジンルーム４への空調空気の流入を許容する場合に、エンジンルーム吹出しモードに設定される。このエンジンルーム吹出しモードでは、第２ドア１２は開状態に制御されて、空調装置１の室内用ブロワ１４によって送風される空調空気の全部または一部が空調風導入通路１１を通じて、後方排気部に向けてエンジンルーム４に吹き出される。
【００２６】
冷却装置に関係する制御に関して構成を説明する。第１ドア３の作動は、冷却用ＥＣＵ１００により制御される。冷却用ＥＣＵ１００は、第１ドア３の回転軸部を駆動するモータに印加する電圧値を制御することにより、第１ドア３のドア本体の回転位置を制御して、外気導入通路３１の開度を制御する。したがって、冷却用ＥＣＵ１００は、外気導入通路３１に流入する外気の風量を可変することができる。後方排気部を冷却可能な能力は、冷却用ＥＣＵ１００による第１ドア３の開度制御によって、調整されることになる。
【００２７】
冷却用ＥＣＵ１００は、エンジンの始動および停止を司るイグニッションスイッチのＯＮ、ＯＦＦに関係なく、車両に搭載された車載電源であるバッテリ７から直流電源が供給されて、所定の演算処理や制御処理を行うように構成されている。冷却用ＥＣＵ１００は、バッテリ７から得られる電力を第１ドア３に供給し、当該供給電力を制御することができる。冷却用ＥＣＵ１００は、当該供給電力を制御することによって、第１ドア３のドア本体の回転位置を制御することができる。
【００２８】
バッテリ７は、例えば、複数個の単電池の集合体からなる組電池で構成してもよい。各単電池は、例えばニッケル水素二次電池、リチウムイオン二次電池、有機ラジカル電池で構成することができる。バッテリ７は、例えば、充放電可能で、車両走行用のモータを有する車両の場合には、当該モータに電力を供給する用途に用いることもできる。
【００２９】
冷却用ＥＣＵ１００は、演算処理や制御処理を行うＣＰＵ（中央演算装置）、ＲＯＭやＲＡＭ等のメモリ、及びＩ／Ｏポート（入力／出力回路）等の機能を含んで構成されるマイクロコンピュータを備えている。空調ＥＣＵ２００は、バッテリ７から得られる電力を空調装置１の各空調機能部品に供給し、当該供給電力を制御することができる。
【００３０】
ＲＯＭやＲＡＭ等のメモリは、冷却用ＥＣＵ１００の記憶手段を構成する。記憶手段は、後方排気部の冷却運転に用いられる所定の演算プログラム、所定の制御特性データ等を予め記憶している。これらのプログラム等は、冷却用ＥＣＵ１００による後方排気部の冷却運転の制御に用いられる。また、冷却用ＥＣＵ１００は、空調ＥＣＵ２００と通信することによって空調装置１の運転と関連させた、後方排気部を冷却するための冷却運転を実施する。
【００３１】
乗員は、インストルメントパネル５０等に設置される空調操作部を操作することにより、車室内の温度（設定温度）を設定することができる。空調操作部が操作されて、自動の空調運転を行う命令の信号が空調ＥＣＵ２００に入力されると、空調ＥＣＵ２００は、空調装置１による自動の空調運転を制御し、車室内温度を設定温度に近づける。空調ＥＣＵ２００は、バッテリ７からの供給電力を制御することによって空調装置１の各空調機能部品の運転を制御して、自動の空調運転を行う。
【００３２】
外気温度センサ１５は、車外の空気に接触して電気信号として外気温度Ｔａｍを検知する温度検知部を有し、温度検知部によって検知された電気信号を空調ＥＣＵ２００に送信する。内気温度センサ１６は、車室内５の空気に接触して電気信号として車室内温度Ｔｒを検知する温度検知部を有し、温度検知部によって検知された電気信号を空調ＥＣＵ２００に送信する。外気温度センサ１５や内気温度センサ１６からの信号は、例えば、Ｉ／Ｏポート、もしくはＡ／Ｄ変換回路によってＡ／Ｄ変換された後に、マイクロコンピュータに入力される。
【００３３】
冷却用ＥＣＵ１００と空調ＥＣＵ２００との通信形態は、有線、無線のいずれであってもよい。空調ＥＣＵ２００は、ＣＰＵ、ＲＯＭ及びＲＡＭ等のマイクロコンピュータとその周辺回路から構成され、バッテリ７から直流電源が供給されて車室内の空調を制御する空調制御装置である。空調ＥＣＵ２００には、前述の外気温度センサ１５及び内気温度センサ１６の他、日射センサ、吐出温度センサ、吐出圧力センサ、蒸発器温度センサ等の空調制御用のセンサ群の各検出信号、及び設定温度の信号が入力される。
【００３４】
日射センサは、車室内５の日射量Ｔｓを検出する。吐出温度センサは、空調用冷凍サイクルにおける圧縮機の吐出冷媒温度Ｔｄを検出する。吐出圧力センサは、圧縮機の吐出冷媒圧力Ｐｄを検出する。蒸発器温度センサは、空調用冷凍サイクルにおける蒸発器からの吹出空気温度（蒸発器温度）Ｔｅを検出する。また、空調ＥＣＵ２００には、車室内の窓ガラス近傍の車室内空気の相対湿度を検出する湿度センサ、窓近傍の車室内空気の温度を検出する窓近傍温度センサ、及び窓表面温度を検出する窓表面温度センサ等の信号が入力される。また、空調ＥＣＵ２００には、冷却水温Ｔｗが車両ＥＣＵ３００を介して入力される。
【００３５】
空調ＥＣＵ２００は、これら検出信号と記憶された空調制御プログラムとを用いて各種演算、処理を行い、各モードドア用のアクチュエータ、ブロワモータのモータ駆動回路、圧縮機の容量制御弁、電磁クラッチのクラッチ駆動回路等に制御信号を出力する。ＲＯＭやＲＡＭ等のメモリは、空調ＥＣＵ２００の記憶手段を構成する。記憶手段は、所定の空調制御プログラム、各種制御特性グラフの元となる所定の制御特性データを予め記憶している。当該制御特性データは、空調ＥＣＵ２００による車室内５の空調制御に用いられる。
【００３６】
空調機能部品には、空調用冷凍サイクルの圧縮機、室内用ブロワ１４、内外気切換ドア、エアミックスドア、吹出しモード切換ドア等が含まれる。空調ＥＣＵ２００は、空調機能部品の他、第２ドア１２の作動を制御する。空調ＥＣＵ２００は、車両ＥＣＵ３００と相互に通信可能に構成される。両者の通信形態は、有線、無線のいずれであってもよく、その信号形式についても限定されない。車両ＥＣＵ３００は、車速、エンジン冷却水温度、乗員の着座の有無等の車両に関する各種情報を取得し、所定の情報を空調ＥＣＵ２００に送る。空調ＥＣＵ２００は、車両ＥＣＵ３００から取得した情報を、空調運転における空調機能部品の作動決定に使用する。
【００３７】
冷却水温センサ２２は、エンジン冷却水回路を流れるエンジン冷却用の冷却水に接触して電気信号として冷却水温Ｔｗを検知する温度検知部を有し、温度検知部によって検知された電気信号を車両ＥＣＵ３００に送信する。排気温度センサ２３は、電気信号として排気マニホールド２０の温度Ｔｅｘ（以下、排気温度Ｔｅｘともいう）を検知する温度検知部を有し、温度検知部によって検知された電気信号を車両ＥＣＵ３００に送信する。冷却水温センサ２２や排気温度センサ２３からの信号は、例えば、Ｉ／Ｏポート、もしくはＡ／Ｄ変換回路によってＡ／Ｄ変換された後に、マイクロコンピュータに入力される。
【００３８】
空調ＥＣＵ２００は、マニュアル操作による指令や、自動運転の設定温度と各種センサ等から取得した各種情報を用いた演算により、空気取入れモード、吹出しモード、室内用ブロワ１４による送風量、車室内５への空調温度等を制御する。空調ＥＣＵ２００は、空気取入れモードとして、外気モード、内気モード、内外気導入モードのいずれかに設定する。空調ＥＣＵ２００は、吹出し用ドアの位置を制御して、各吹出しモードに設定する。吹出しモードには、フット吹出しモード、フェイス吹出しモード、バイレベルモード、デフロスタ吹出しモード、フットデフロスタ吹出しモード、エンジンルーム吹出しモード等が設定されうる。
【００３９】
次に、冷却装置による後方排気部の冷却運転、及び冷却運転に関連させる空調装置１の運転について図１〜図３、図５を参照して説明する。図１には、冷却運転において、走行時に外気導入を行うときの各部の状態を示している。図２には、走行時に外気導入を行わないときの各部の状態を示している。図３には、冷却運転において、停車時に空調装置１によって空調空気の導入を行うときの各部の状態を示している。
【００４０】
図５には、冷却運転に係る制御の処理手順を開示するフローチャートを示している。本フローチャートは、冷却用ＥＣＵ１００や空調ＥＣＵ２００に電源が投入されている状態で開始され、冷却用ＥＣＵ１００と空調ＥＣＵ２００とが互いに情報を通信することで、主に冷却用ＥＣＵ１００によって実行される。本フローチャートは、予め定めた時間間隔で繰り返し行われる。すなわち、本フローチャートが終了すると、所定時間経過後に再びステップ１０以降の処理が実行されることになる。
【００４１】
本フローチャートが開始されると、まずステップ１０で、車両が走行中であるか否かを判定する。ステップ１０では、冷却用ＥＣＵ１００は、車両ＥＣＵ３００から取得した現在の車速情報に基いて当該判定を実行する。車速情報に基いてステップ１０で車両が走行中であると判定すると、次にステップ２０で、冷却水温センサ２２によって検出された冷却水温Ｔｗが所定温度、例えば９０℃を超えているか否かを判定する。
【００４２】
ステップ２０でＴｗが９０℃を超えていないと判定すると、エンジン２の温度が高くないため、後方排気部を冷却する条件を満たしていない。そして、ステップ５０に進み、第１ドア３を閉状態に制御する処理を実行し、本フローチャートを終了する。この場合、外気は外気導入通路３１に流入せず、後方排気部の冷却は行われない（図２参照）。
【００４３】
ステップ１０でＴｗが９０℃を超えていると判定すると、次のステップ３０で排気マニホールド２０の温度（排気温度Ｔｅｘ）が所定温度、例えば５００℃を超えているか否かを判定する。ステップ３０でＴｅｘが５００℃を超えていないと判定すると、冷却水温Ｔｗは高くが、排気温度Ｔｅｘは高くないため、後方排気部を冷却する条件を満たしていない。この場合も、ステップ５０に進み、第１ドア３を閉状態に制御する処理を実行し、後方排気部の冷却を行わずに本フローチャートを終了する。
【００４４】
ステップ３０でＴｅｘが５００℃を超えていると判定すると、冷却水温Ｔｗ及び排気温度Ｔｅｘが高いため、後方排気部を冷却する条件を満たしている。この場合、ステップ４０に進み、第１ドア３を開状態に制御する処理を実行し、後方排気部の冷却を行い、本フローチャートを終了する。このときの各部の状態及び外気の導入経路は、図１に図示するようになる。
【００４５】
走行中には、走行圧によって図１において破線Ａ１で示すように、車両と地面との間、例えば、アンダーカバー４５やフロアパネル４６の近傍における空気の圧力が負圧エリアになる。一方、アンダーカバー４５の前部と地面との間、フロントグリル４１（車両前部）の近傍、エンジンフード４０（またはボンネット）の後部近傍の空気の圧力は、図１において二点鎖線Ａ２や二点鎖線Ａ４で示すように、正圧エリアになる。なお、図１における破線Ａ３のエリアは、車体表面における圧力分布が負圧のエリアになる。このため、車両前部、例えばフロントグリル４１付近に空気は、フロントウインドシールド５１側に向かって勢い良く流れるようになる。このような車両のＣｄ値（抗力係数）に密接に関係する車体形状によって、車体表面におけるスムーズな空気流れを形成することができる。
【００４６】
走行中に、エンジンルーム４の周囲における車体には、以上のような空気の圧力分布が形成されるため、エンジンルーム４上方のボンネット上をフロントウインドシールド５１に向かう外気の気流が生じる。この気流の発生により、外気は、図１の実線矢印で示すように、車両前部から、ボンネット上、カウルへと流れ、第１ドア３によって開放された外気導入口３０から外気導入通路３１に流入するようになる。外気導入通路３１に流入した外気は、外気導入通路３１を下方に流れる際に、排気マニホールド２０及び排気パイプ２１の周囲を通過し、これらの外表面に接触することで後方排気部を吸熱して冷却する。吸熱した外気は、アンダーカバー４５とフロアパネル４６との隙間によって形成された外気排出用の開口から車外に排出されるため、後方排気部の熱は車外に放出される。
【００４７】
車速情報に基いてステップ１０で車両が停車中であると判定すると、次にステップ１００で排気マニホールド２０の温度（排気温度Ｔｅｘ）が所定温度、例えば５００℃を超えているか否かを判定する。ステップ１００でＴｅｘが５００℃を超えていないと判定すると、停車中の排気温度Ｔｅｘは高くないため、後方排気部を冷却する条件を満たしていない。この場合も、ステップ５０に進み、第１ドア３を閉状態に制御する処理を実行し、後方排気部の冷却を行わずに本フローチャートを終了する。
【００４８】
ステップ１００でＴｅｘが５００℃を超えていると判定すると、停車中の排気温度Ｔｅｘが高いため、後方排気部を冷却する条件を満たしている。さらにステップ１１０で車室内温度Ｔｒが外気温度Ｔａｍよりも高いか否かを判定する。ステップ１１０でＴｒがＴａｍと同等またはＴａｍよりも低温であると判定すると、外気よりも車室内５の空気を用いて後方排気部を冷却する方が効率的である。このため、ステップ１２０、ステップ１３０、ステップ１４０、ステップ１５０を実行して、車室内空気の導入による後方排気部の冷却を行い、本フローチャートを終了する。
【００４９】
ステップ１２０では、第１ドア３を開状態に制御する。ステップ１３０では、空調装置１の空気取入れモードを、内気取入口１３から車室内空気を取り入れる内気モードに設定するように制御する。ステップ１４０では、室内用ブロワ１４を運転する。ステップ１５０では、第２ドア１２を開状態に制御する。これらの処理により、室内用ブロワ１４によって送風される空調空気の全部または一部は、空調風導入通路１１を介してエンジンルーム４に吹き出され、後方排気部を冷却する。このときの各部の状態及び外気の導入経路は、図３に図示するようになる。
【００５０】
空調風導入通路１１からエンジンルーム４に吹き出された空調空気は、後方排気部に接触した後、下方に流れて前述の排出用の開口から車外に排出されるので、後方排気部の熱は車外に放出される。また、上方の外気導入通路３１は開放されているため、空調空気は、後方排気部に接触した後、温度上昇することで上方に流れて外気導入口３０から車外に排出されうる。このように空調空気が上方に流れることにより、エンジン２の上部に位置する後方排気部、例えば排気マニホールド２０に対する冷却性能を向上させることができる。
【００５１】
ステップ１１０でＴｒがＴａｍよりも高温であると判定すると、車室内温度よりも低温の外気で後方排気を冷却する方が効率的である。このため、次のステップ１２５で第１ドア３を開状態に制御する処理を実行して本フローチャートを終了する。したがって、車室内空気をエンジンルーム４に導入せず、外気導入通路３１だけを開放することで、外気導入口３０から流入する外気を用いて後方排気部の冷却を図る。特に、低温である外気は、下方に流れやすいため、外気導入口３０から導入された後、下方に延びる外気導入通路３１を流下するようになる。したがって、低温の外気は、外気導入通路３１を上部から下部に流れ、車室内空気よりも後方排気部を効率的に冷却することができる。
【００５２】
次に、第１実施形態の冷却装置がもたらす作用効果について説明する。冷却装置は、車両に搭載され、エンジン後部から後方に向けて排気が流れる排気通路を構成する後方排気部を有するエンジン２を備える。冷却装置は、車外とエンジンルーム４とを連絡する通路であり、車外から取り込まれる外気が後方排気部に向けて流入するようにエンジン２の後部寄りに設けられた外気導入通路３１と、外気導入通路３１を開状態と閉状態とに制御可能な第１ドア３と、を備える。
【００５３】
この構成によれば、エンジン２の後部寄りに設定された外気導入通路３１に外気を導入することにより、外気流入時の通風抵抗を少なくしてスムーズにエンジンルーム４に取り入れることができる。さらに外気導入通路３１に流入した外気は、後方排気部（排気マニホールド２０や排気パイプ２１）に向けて流れるため、冷却効果の高い新鮮な外気をエンジンルーム４の他の熱源から吸熱する前に後方排気部に接触させることができる。これにより、外気によって後方排気部を冷却する効果を格段に高めることが可能である。
【００５４】
例えば、車両走行時には、第１ドア３を開状態にすることで、外気が車外から外気導入通路３１を通って後方排気部に向けて流れ得るため、後方排気型のエンジン２の排気マニホールド２０や排気パイプ２１を冷却する能力を外気によって向上させることができる。このように、エンジン２の後部から排気が流れる後方排気部を効率的に排気できる冷却装置が得られる。
【００５５】
また、外気導入通路３１は、エンジン２よりも高い位置で外気を車外から取り入れる通路である。このような外気導入通路３１の構成によれば、外気導入通路３１が外気導入口３０から下方に向かって延びることになるため、特に外気が低温である場合には、エンジンルーム４の空気に対して重い外気が外気導入通路３１を流下しやすい。このため、外気はスムーズに下方に流下しながら排気マニホールド２０や排気パイプ２１に接触することができ、比較的速い流速の外気を後方排気部に接触させることが可能である。
【００５６】
また、外気導入通路３１は、エンジン２よりも後方の位置で外気を車外から取り入れる通路である。このような外気導入通路３１の構成によれば、外気をエンジン２の前部よりも後部に積極的に接触させることができる。さらに後方排気部の一例である排気パイプ２１は車両の後方へ延びるように設置されることが多いため、エンジン２よりも後方から導入された外気を排気パイプ２１の広い範囲に接触させることができる。これにより、エンジン２から後方に延びる後方排気部を効率的に冷却することが可能である。
【００５７】
また、外気導入通路３１は、車両におけるエンジンフード４０とフロントウインドシールド５１との間に設けられた開口部である外気導入口３０から外気を取り入れる通路である。このような外気導入通路３１の構成によれば、前述したように走行中の車体周囲に形成される空気の圧力分布を利用した効率的な外気導入を実施することができる。また、空調装置１における外気の吸気口が形成される外板部等に外気導入口３０を形成することができる。
【００５８】
また、外気導入通路３１は、後方排気部の真上から外気を取り入れる通路である。このような外気導入通路３１の構成によれば、外気導入通路３１を外気導入口３０から真下に向かって設けることができるため、外気の流速を重力を利用して加速させることが可能である。特に外気が低温である場合には、エンジンルーム４の空気に対して重い外気をさらに加速させやすい。このため、外気は外気導入通路３１を加速しながら流下し、速い流速の外気を後方排気部に接触させることが可能である。
【００５９】
車両の走行中に、第１ドア３は開状態に制御され、車外から取り入れられた外気は、外気導入通路３１を下方に流れる。これによれば、外気導入口３０を後方排気部よりも上方に位置させることができる。このため、前述したように走行中の車体周囲に形成される空気の圧力分布を利用して、外気を外気導入通路３１に取り込むことができる。したがって、走行中の外気導入を効率的に実施でき、後方排気部により多くの外気を接触させることが可能になる。
【００６０】
また、冷却装置は、空調風導入通路１１と、空調装置１の運転と第１ドア３の作動とを制御する制御装置を備える。空調風導入通路１１は、車室内５を空調するための空調装置１において空調された空調空気を、エンジン２よりも後方から後方排気部に向けて流入させるように設けられている。制御装置は、停車中に、第１ドア３を開状態に制御するとともに、空調装置１において冷却された冷気を空調風導入通路１１に流すように空調装置１の運転を制御する。
【００６１】
これによれば、高速走行後に停車したときのように、走行時に形成される空気の圧力分布を利用できず、十分な量の外気をエンジンルーム４に取り込むことが困難な場合でも、後方排気部を効率的に冷却できる冷却装置を提供できる。また、空調空気の方が外気よりも低温であり、高い冷却効果が得られる場合にも、より効率的な冷却運転を実施できる。
【００６２】
（第２実施形態）
第２実施形態では、第１実施形態で説明した冷却装置及び冷却運転に係る制御に対する他の実施形態について図６〜図８を参照して説明する。図６、図７において図１、図４等と同じ符号を付した構成は同様の構成であり、同様の作用効果を奏する。図８において図５と同じステップ番号を付したステップは同様の処理であり、同様の作用効果を奏する。以下に、第１実施形態とは異なる内容についてのみ説明する。
【００６３】
図６に示すように、冷却装置は、第１ドア３と、車室内の空気をエンジンルーム４へ送風する送風装置６１と、室内空気導入通路６０を開閉可能な第３ドア６２と、を関連させて制御することができる。図６には、冷却運転において、停車時に車室内空気の導入を行うときの各部の状態を示している。
【００６４】
車両には、車室内５とエンジンルーム４とを連絡するダクト６が設けられている。ダクト６は、室内空気導入通路６０を構成する。ダクト６は、インストルメントパネル５０の下部及びファイアウォール４７を貫通するように設けられ、エンジンルーム４に位置する開口端部が排気マニホールド２０や排気パイプ２１に向かって開口している。したがって、室内空気導入通路６０は、エンジン２よりも後方の位置から後方排気部に向けて車室内空気をエンジンルーム４に流入させる通路を構成する。
【００６５】
ダクト６の内部には、室内空気導入通路６０を開状態と閉状態とに制御可能な通路開閉装置の一例である第３ドア６２が設けられている。第３ドア６２は、冷却運転のために備えられた専用の装置であり、開状態に制御された場合は車室内空気がエンジンルーム４に流入することを許容する。第３ドア６２は、閉状態に制御された場合は室内空気導入通路６０における空気の流通を阻止し、エンジンルーム４への車室内空気の流入を禁止する。ダクト６の内部には、車室内空気をエンジンルーム４に向けて送風する送風装置６１が設けられている。送風装置６１は、冷却運転のために備えられた専用の装置であり、第３ドア６２が開状態に制御された場合に車室内空気をエンジンルーム４に流入させることができる。
【００６６】
第３ドア６２及び送風装置６１の作動は、冷却用ＥＣＵ１００により制御される。冷却用ＥＣＵ１００は、第３ドア６２の回転軸部を駆動するモータに印加する電圧値を制御することにより、第３ドア６２のドア本体の回転位置を制御して、室内空気導入通路６０の開度を制御する。したがって、冷却用ＥＣＵ１００は、室内空気導入通路６０に流入する室内空気の風量を可変することができる。後方排気部を冷却可能な能力は、冷却用ＥＣＵ１００による第３ドア６２の開度制御と送風装置６１による風量制御とによって調整されることになる。
【００６７】
次に、冷却装置による後方排気部の冷却運転と、冷却運転に関連させる送風装置６１及び第３ドア６２の運転とについて図６、図８を参照して説明する。
【００６８】
図８には、冷却運転に係る制御の処理手順を開示するフローチャートを示している。本フローチャートにおける、ステップ１０、２０、３０４０、５０、１００、１１０は、第１実施形態において説明した処理と同様である。
【００６９】
ステップ１００でＴｅｘが５００℃を超えていると判定すると、次にステップ１１０で車室内温度Ｔｒが外気温度Ｔａｍよりも高いか否かを判定する。ステップ１１０でＴｒがＴａｍと同等またはＴａｍよりも低温であると判定すると、外気よりも車室内５の空気を用いて後方排気部を冷却する方が効率的である。このため、ステップ２００、ステップ２１０、ステップ２２０を実行して、車室内空気の導入による後方排気部の冷却を行い、本フローチャートを終了する。
【００７０】
ステップ２００では、第１ドア３を開状態に制御する。ステップ２１０では、送風装置６１を運転する。ステップ２２０では、第３ドア６２を開状態に制御する。これらの処理により、送風装置６１によって送風される車室内空気の全部は、室内空気導入通路６０を介してエンジンルーム４に吹き出され、後方排気部を冷却する。このときの各部の状態及び外気の導入経路は、図６に図示するようになる。
【００７１】
室内空気導入通路６０からエンジンルーム４に吹き出された車室内空気は、後方排気部に接触した後、下方に流れて前述の排出用の開口から車外に排出されるので、後方排気部の熱は車外に放出される。また、上方の外気導入通路３１は開放されているため、車室内空気は、後方排気部に接触した後、温度上昇することで上方に流れて外気導入口３０から車外に排出されうる。
【００７２】
ステップ１１０でＴｒがＴａｍよりも高温であると判定すると、次のステップ２０５で第１ドア３を開状態に制御する処理を実行して本フローチャートを終了する。したがって、前述の第１実施形態における説明と同様の理由から、低温の外気は、外気導入通路３１を上部から下部に流れ、車室内空気よりも後方排気部を効率的に冷却することができる。また、上方の外気導入通路３１は開放されているため、車室内空気は、後方排気部に接触した後、温度上昇することで上方に流れて外気導入口３０から車外に排出されうる。このように車室内空気が上方に流れることにより、エンジン２の上部に位置する後方排気部、例えば排気マニホールド２０に対する冷却性能を向上させることができる。
【００７３】
次に、第２実施形態の冷却装置がもたらす作用効果について説明する。冷却装置は、車室内空気をエンジン２よりも後方から後方排気部に向けて流入させる室内空気導入通路６０と、室内空気導入通路６０に車室内の空気を流す送風装置６１と、第１ドア３の作動と送風装置６１の運転とを制御する制御装置と、を備える。制御装置は、停車中に、第１ドア３を開状態に制御するとともに、車室内空気を室内空気導入通路６０に流すように送風装置６１の運転を制御する。
【００７４】
これによれば、高速走行後の停車時（デッドソーク時）のように、走行時に形成される空気の圧力分布を利用できず、十分な量の外気をエンジンルーム４に取り込むことが困難な場合でも、後方排気部を効率的に冷却可能な冷却装置を提供できる。また、車室内空気の方が外気よりも低温であり、高い冷却効果が得られる場合にも、より効率的な冷却運転を実施できる。
【００７５】
また、制御装置は、停車中に、外気の温度が車室内空気の温度よりも低い場合には、第１ドア３を開状態に制御し、送風装置６１を停止するように制御する。これによれば、外気よりも高温である車室内空気をエンジンルーム４に導入することなく、外気を積極的に導入することで、効率的な冷却運転を実現できる。
【００７６】
さらに、外気導入口３０がエンジン２よりも高い位置に設けられている場合や、外気導入通路３１が後方排気部の真上から外気を取り入れる場合や、外気導入口３０がカウルに設けられている場合には、以下のような効果が得られる。すなわち、低温である外気は、外気導入通路３１を上部から下部に流れるため、車室内空気を導入する場合に比べて後方排気部を効率的に冷却でき、さらに送風するための電力等を必要としない点でも省エネルギ化も図れる。
【００７７】
（他の実施形態）
以上、開示された発明の好ましい実施形態について説明したが、開示された発明は上述した実施形態に何ら制限されることなく、種々変形して実施することが可能である。前述の実施形態の構造は、あくまで例示であって、開示された発明の技術的範囲はこれらの記載の範囲に限定されるものではない。開示された発明の技術的範囲は、特許請求の範囲の記載によって示され、さらに特許請求の範囲の記載と均等の意味及び範囲内での全ての変更を含むものである。
【００７８】
前述の実施形態においてエンジン２は、後部から排気が流出する排気マニホールド２０を有するが、さらに、前部から排気が流出する排気マニホールドを有するように構成してもよい。つまり、本発明に係る冷却装置が冷却する後方排気部を有するエンジンは、後部以外に前部からも排気が排出される構成を備えるものでもよい。
【００７９】
前述の実施形態においては、第１ドア３の動作を制御する冷却用ＥＣＵ１００と空調装置１の運転を制御する空調ＥＣＵ２００とが連携して、冷却装置の作動が制御されるように構成されている。冷却装置の制御は、このように、互いに通信する複数のＥＣＵによって構成される形態に限定されるものではない。例えば、冷却装置の作動は、第１ドア３と空調装置１との両方についてこれらの作動を制御する単一の制御装置、すなわちシステム制御装置によって制御される構成でもよい。また、単一の制御装置は、空調ＥＣＵ２００であってもよい。
【００８０】
前述の実施形態における第１ドア３は、ドア本体が回転駆動されて、開状態と閉状態とに切り替え制御される通路開閉装置であるが、このような駆動形態に限定されるものではない。例えば、第１ドア３は、ドア本体がスライドすることにより外気導入通路３１を開閉する形態に構成される装置でもよい。
【００８１】
前述の実施形態においては、冷却水温Ｔｗが車両ＥＣＵ３００を介して空調ＥＣＵ２００に入力されるとしているが、車両ＥＣＵ３００を介さずに直接空調ＥＣＵ２００に入力されるように構成してもよい。
【符号の説明】
【００８２】
２…エンジン
３…第１ドア（通路開閉装置）
４…エンジンルーム
２０…排気マニホールド（後方排気部）
２１…排気パイプ（後方排気部）
３１…外気導入通路
【図１】
0006319009.tif 000002
【図２】
0006319009.tif 000003
【図３】
0006319009.tif 000004
【図４】
0006319009.tif 000005
【図５】
0006319009.tif 000006
【図６】
0006319009.tif 000007
【図７】
0006319009.tif 000008
【図８】
0006319009.tif 000009